(57)【要約】【課題】ユーザに対して更新情報を適切に提示することができること。【解決手段】本願に係る決定装置は、取得部と、決定部とを有する。取得部は、ユーザが関心を有する分野に関する情報を取得する。決定部は、取得部によって取得された分野におけるユーザにとっての秘密度合に基づいて、当該分野に対応するコンテンツの更新情報の提示方式を決定する。【選択図】図２
2017097503.tif 000002
【特許請求の範囲】
【請求項１】
ユーザが関心を有する分野に関する情報を取得する取得部と、
前記取得部によって取得された分野における前記ユーザにとっての秘密度合に基づいて、当該分野に対応するコンテンツの更新情報の提示方式を決定する決定部と
を備えたことを特徴とする決定装置。
【請求項２】
前記決定部は、
前記取得部によって取得された分野における前記ユーザにとっての秘密度合が所定の閾値以上の場合に、少なくとも前記コンテンツの更新情報の一部を伏せる提示方式に決定する
ことを特徴とする請求項１に記載の決定装置。
【請求項３】
前記決定部は、
前記取得部によって取得された分野における前記ユーザにとっての秘密度合が所定の閾値以上の場合に、更新情報がある旨を通知する提示方式に決定する
ことを特徴とする請求項１または２に記載の決定装置。
【請求項４】
前記決定部は、
前記取得部によって取得された分野における前記ユーザにとっての秘密度合が所定の閾値未満の場合に、少なくとも前記コンテンツの更新情報の一部を表示する提示方式に決定する
ことを特徴とする請求項１〜３のいずれか一つに記載の決定装置。
【請求項５】
前記決定部は、
前記ユーザの行動履歴に基づく前記秘密度合に基づいて、前記コンテンツの更新情報の提示方式を決定する
ことを特徴とする請求項１〜４のいずれか一つに記載の決定装置。
【請求項６】
前記決定部は、
前記ユーザの行動履歴として、前記ユーザの検索履歴、閲覧履歴、購買履歴、アプリケーションの利用履歴またはＳＮＳ（Social  Networking  Service）への投稿履歴に基づいて、前記コンテンツの更新情報の提示方式を決定する
ことを特徴とする請求項１〜５のいずれか一つに記載の決定装置。
【請求項７】
前記決定部は、
前記ユーザの行動履歴として、前記ユーザが行動する時間、前記ユーザが滞在する場所または前記ユーザが他のユーザとやり取りした情報に基づいて、前記コンテンツの更新情報の提示方式を決定する
ことを特徴とする請求項１〜６のいずれか一つに記載の決定装置。
【請求項８】
前記決定部は、
ＳＮＳ上で前記ユーザと繋がりのある他のユーザの属性に基づいて、前記コンテンツの更新情報の提示方式を決定する
ことを特徴とする請求項１〜７のいずれか一つに記載の決定装置。
【請求項９】
前記決定部は、
前記ユーザの更新情報の通知に関する設定状況に基づいて、前記コンテンツの更新情報の提示方式を決定する
ことを特徴とする請求項１〜８のいずれか一つに記載の決定装置。
【請求項１０】
前記決定部は、
前記コンテンツの更新情報を出力する出力先の端末装置に基づいて、当該コンテンツの更新情報の提示方式を決定する
ことを特徴とする請求項１〜９のいずれか一つに記載の決定装置。
【請求項１１】
前記決定部は、
現在時刻に基づいて、前記コンテンツの更新情報の提示方式を決定する
ことを特徴とする請求項１〜１０のいずれか一つに記載の決定装置。
【請求項１２】
前記決定部は、
出力先の端末装置が位置する場所を示す位置情報に基づいて、前記コンテンツの更新情報を当該端末装置に表示する提示方式を決定する
ことを特徴とする請求項１〜１１のいずれか一つに記載の決定装置。
【請求項１３】
前記決定部は、
出力先の端末装置によって検知される検知情報に基づいて、前記コンテンツの更新情報の提示方式を決定する
ことを特徴とする請求項１〜１２のいずれか一つに記載の決定装置。
【請求項１４】
決定装置が実行する決定方法であって、
ユーザが関心を有する分野に関する情報を取得する取得工程と、
前記取得工程によって取得された分野における前記ユーザにとっての秘密度合に基づいて、当該分野に対応するコンテンツの更新情報の提示方式を決定する決定工程と
を含んだことを特徴とする決定方法。
【請求項１５】
ユーザが関心を有する分野に関する情報を取得する取得手順と、
前記取得手順によって取得された分野における前記ユーザにとっての秘密度合に基づいて、当該分野に対応するコンテンツの更新情報の提示方式を決定する決定手順と
をコンピュータに実行させることを特徴とする決定プログラム。
【発明の詳細な説明】
【技術分野】
【０００１】
本発明は、決定装置、決定方法および決定プログラムに関する。
【背景技術】
【０００２】
近年、コンテンツの更新情報を通知する技術が知られている。例えば、このような技術では、ユーザにとって関心のある事柄として示されたトピックに関する更新情報を自動化された方式でユーザに提供する。
【先行技術文献】
【特許文献】
【０００３】
【特許文献１】特表２０１４−５３４４８４号公報
【発明の概要】
【発明が解決しようとする課題】
【０００４】
しかしながら、上記の従来技術では、ユーザに対して更新情報を適切に提示することができるとは限らなかった。例えば、上記の従来技術では、更新情報を求める要求を受信し、ユーザにとって関心のある事柄と知られているトピックに関する新しいコンテンツがユーザに提示され得るように更新情報を返信する。このように、上記の従来技術では、ユーザにとって関心のある更新情報を画一的に提示するので、ユーザにとって好ましくない更新情報も提示する。このようなことから、上記の従来技術では、ユーザに対して更新情報を適切に提示することができるとは限らなかった。
【０００５】
本願は、上記に鑑みてなされたものであって、ユーザに対して更新情報を適切に提示することができる決定装置、決定方法および決定プログラムを提供することを目的とする。
【課題を解決するための手段】
【０００６】
本願に係る決定装置は、ユーザが関心を有する分野に関する情報を取得する取得部と、前記取得部によって取得された分野におけるユーザにとっての秘密度合に基づいて、当該分野に対応するコンテンツの更新情報の提示方式を決定する決定部とを備えたことを特徴とする。
【発明の効果】
【０００７】
実施形態の一態様によれば、ユーザに対して更新情報を適切に提示することができるという効果を奏する。
【図面の簡単な説明】
【０００８】
【図１】図１は、実施形態に係る提示システムによる提示処理の一例を示す説明図である。
【図２】図２は、実施形態に係る提示装置の構成例を示す図である。
【図３】図３は、実施形態に係るユーザ情報記憶部の一例を示す図である。
【図４】図４は、実施形態に係る秘密度情報記憶部の一例を示す図である。
【図５】図５は、提示装置による提示処理手順を示すフローチャートである。
【図６】図６は、変形例に係る端末装置の構成例を示す図である。
【図７】図７は、提示装置の機能を実現するコンピュータの一例を示すハードウェア構成図である。
【発明を実施するための形態】
【０００９】
以下に、本願に係る決定装置、決定方法および決定プログラムを実施するための形態（以下、「実施形態」と呼ぶ）について図面を参照しつつ詳細に説明する。なお、この実施形態により本願に係る決定装置、決定方法および決定プログラムが限定されるものではない。また、以下の実施形態において同一の部位には同一の符号を付し、重複する説明は省略される。
【００１０】
〔１．実施形態〕
〔１−１．実施形態に係る提示処理〕
まず、図１を用いて、実施形態に係る提示処理の一例について説明する。図１は、実施形態に係る提示システム１による提示処理の一例を示す説明図である。図１の例では、ユーザＵ１が関心を有する分野に属するコンテンツの更新情報を、ユーザＵ１が有する端末装置１０に提示する提示処理が行われる。
【００１１】
図１に示すように、提示システム１には、端末装置１０と、情報提供装置５０と、提示装置１００（決定装置の一例に相当）とが含まれる。端末装置１０、情報提供装置５０、提示装置１００は、それぞれネットワークと有線または無線により通信可能に接続される。
【００１２】
端末装置１０は、スマートフォンや、タブレット型端末や、ＰＣ（Personal  Computer）や、携帯電話機、ＰＤＡ（Personal  Digital  Assistant）等の情報処理装置である。例えば、端末装置１０は、コンテンツに更新があった場合に、かかるコンテンツの更新情報を受信して表示する。一例としては、端末装置１０は、ユーザＵ１が関心を有する分野に属するコンテンツ（例えば、端末装置１０にインストールされているアプリケーションによって取得されるコンテンツ）の更新情報を受信して表示する。
【００１３】
情報提供装置５０は、コンテンツを提供するサーバ装置である。例えば、情報提供装置５０は、「アイドル」や「運行情報」などといった各種の分野に属するコンテンツを提供する。一例としては、情報提供装置５０は、提示装置１００を介して、コンテンツの更新情報を端末装置１０に提供する。
【００１４】
提示装置１００は、コンテンツの更新に関する情報を端末装置１０に提示するサーバ装置である。例えば、提示装置１００は、ユーザＵ１が関心を有する分野に属するコンテンツの更新情報に関するプッシュ通知を端末装置１０に表示させる指示情報を送信する。
【００１５】
ここで、プッシュ通知は、ユーザに対して更新情報を適切に提示することが望まれる。例えば、プッシュ通知は、ユーザＵ１にとって表示することが好ましい更新情報を提示し、ユーザＵ１にとって表示することが好ましくない更新情報は提示しないことが望まれる。そこで、提示装置１００は、ユーザＵ１が関心を有する分野に関する情報に基づいた提示方式でコンテンツの更新情報を提示する提示処理を実行する。
【００１６】
初めに、ユーザＵ１にとって表示することが好ましくない更新情報の場合について説明する。言い換えると、ユーザＵ１にとって内容を他者に知られたくない更新情報の場合について説明する。具体的には、まず、提示装置１００は、分野「アイドル」に属するコンテンツの更新情報を取得する（ステップＳ１１）。ここでは、提示装置１００は、図１に示すように、「7月11日  17：00更新  アイドルＷのコンサート映像を8月10日から配信開始」といった更新情報ＵＤ１を情報提供装置５０から取得するものとする。
【００１７】
その後、提示装置１００は、ユーザＵ１が関心を有する分野「アイドル」に関する情報を取得する。具体的には、提示装置１００は、ユーザＵ１が関心を有する分野「アイドル」に関する情報として、分野「アイドル」におけるユーザＵ１にとっての秘密度を取得する。
【００１８】
ここで、秘密度は、例えば、ユーザがかかる分野に属するコンテンツを閲覧している時間や場所に基づいて算出される指標である。一例としては、秘密度は、ユーザが日中ではなく深夜の時間帯にコンテンツを閲覧していることが多いほど高く算出される。他の例では、秘密度は、ユーザが職場ではなく自宅でコンテンツを閲覧していることが多いほど高く算出される。
【００１９】
続いて、提示装置１００は、取得された分野「アイドル」に関する情報に基づいて、かかる分野「アイドル」に対応するコンテンツの更新情報ＵＤ１の提示方式を決定する。具体的には、提示装置１００は、取得された分野「アイドル」におけるユーザＵ１にとっての秘密度に基づいて、コンテンツの更新情報ＵＤ１の提示方式を決定する。例えば、提示装置１００は、取得された分野「アイドル」におけるユーザＵ１にとっての秘密度が所定の閾値以上の場合に、少なくともかかる分野「アイドル」に対応するコンテンツの更新情報の一部を伏せる提示方式に決定する。ここでは、分野「アイドル」は、ユーザＵ１にとっての秘密度が所定の閾値以上であるものとする。この場合、提示装置１００は、「アイドル」の分野に属するコンテンツの更新情報ＵＤ１については、内容を伏せて更新情報の件数のみを提示する提示方式に決定する。
【００２０】
そして、提示装置１００は、更新情報の件数を提示するプッシュ通知の指示情報を端末装置１０に対して送信する（ステップＳ１２）。これにより、端末装置１０は、図１に示すように、「１件の更新情報があります。」といった更新情報の件数のみを提示するプッシュ通知Ｐｕ１を表示する。
【００２１】
次に、ユーザＵ１にとって表示することが好ましい更新情報の場合について説明する。言い換えると、ユーザＵ１にとって内容を他者に知られてもよい更新情報の場合について説明する。具体的には、まず、提示装置１００は、分野「運行情報」に属するコンテンツの更新情報を取得する（ステップＳ２１）。ここでは、提示装置１００は、図１に示すように、7月11日17：00更新  路線Ｘが信号故障の影響によりＡ駅からＢ駅間で17：00から運行停止」といった更新情報ＵＤ２を情報提供装置５０から取得するものとする。
【００２２】
その後、提示装置１００は、ユーザＵ１が関心を有する分野「運行情報」に関する情報として、分野「運行情報」におけるユーザＵ１にとっての秘密度を取得する。続いて、提示装置１００は、取得された分野「運行情報」におけるユーザＵ１にとっての秘密度に基づいて、コンテンツの更新情報ＵＤ２の提示方式を決定する。例えば、提示装置１００は、取得された分野「運行情報」におけるユーザＵ１にとっての秘密度が所定の閾値未満の場合に、更新情報の要約を提示する提示方式に決定する。ここでは、分野「運行情報」は、ユーザＵ１にとっての秘密度が所定の閾値未満であるものとする。この場合、提示装置１００は、「運行情報」の分野に属するコンテンツの更新情報ＵＤ２については、運行が停止した時間、路線や区間などを表示する提示方式に決定する。
【００２３】
そして、提示装置１００は、運行情報の一部を表示するプッシュ通知の指示情報を端末装置１０に対して送信する（ステップＳ２２）。これにより、端末装置１０は、図１に示すように、運行情報を提供するアプリケーションのアイコンＩＣ２と、「7月11日17：00  Ｘ線のＡ駅からＢ駅運行停止」といった情報とを提示するプッシュ通知Ｐｕ２を表示する。
【００２４】
このように、実施形態に係る提示装置１００は、ユーザが関心を有する分野に関する情報を取得する。また、提示装置１００は、取得された分野におけるユーザにとっての秘密度合に基づいて、当該分野に対応するコンテンツの更新情報の提示方式を決定する。
【００２５】
これにより、提示装置１００は、ユーザが関心を有する分野に基づいてコンテンツの更新情報の提示方式を決定して端末装置１０に表示させることができるので、ユーザに対して更新情報を適切に提示することができる。例えば、提示装置１００は、ユーザにとって秘密にしたい分野に属するコンテンツの更新情報の内容が表示されてしまうことを防ぐことができるので、ユーザのプライベートを守ることができる。一方、提示装置１００は、ユーザにとって秘密にしなくてもよい分野に属するコンテンツの更新情報の内容を表示することができるので、ユーザに更新情報の内容をリアルタイムに伝えることができる。
【００２６】
なお、図１では、提示システム１に、１台の端末装置１０と、１台の情報提供装置５０と、１台の提示装置１００とが含まれる例を示したが、提示システム１には、複数台の端末装置１０や、複数台の情報提供装置５０や、複数台の提示装置１００が含まれてもよい。
【００２７】
〔１−２．実施形態に係る決定装置の構成〕
次に、図２を用いて、実施形態に係る提示装置１００の構成について説明する。図２は、実施形態に係る提示装置１００の構成例を示す図である。図２に示すように、提示装置１００は、通信部１１０と、記憶部１２０と、制御部１３０とを有する。なお、提示装置１００は、提示装置１００を利用する管理者等から各種操作を受け付ける入力部（例えば、キーボードやマウス等）や、各種情報を表示するための表示部（例えば、液晶ディスプレイ等）を有してもよい。
【００２８】
（通信部１１０について）
通信部１１０は、例えば、ＮＩＣ（Network  Interface  Card）等によって実現される。具体的には、通信部１１０は、ネットワークと有線または無線で接続され、ネットワークを介して、端末装置１０や情報提供装置５０との間で情報の送受信を行う。例えば、通信部１１０は、端末装置１０に対してコンテンツの更新情報に関する指示情報の送信を行なう。他の例では、通信部１１０は、情報提供装置５０からコンテンツの更新情報の受信を行なう。
【００２９】
（記憶部１２０について）
記憶部１２０は、例えば、ＲＡＭ（Random  Access  Memory)、フラッシュメモリ（Flash  Memory）等の半導体メモリ素子、または、ハードディスク、光ディスク等の記憶装置によって実現される。記憶部１２０は、ユーザ情報記憶部１２１と、秘密度情報記憶部１２２とを有する。
【００３０】
（ユーザ情報記憶部１２１について）
ユーザ情報記憶部１２１は、ユーザに関する情報を記憶する。具体的には、ユーザ情報記憶部１２１は、ユーザ毎に、ユーザが関心を有する分野に関する情報を記憶する。ここで、図３に、実施形態に係るユーザ情報記憶部１２１の一例を示す。図３に示すように、ユーザ情報記憶部１２１は、「ユーザＩＤ」および「関心分野」といった項目を有する。
【００３１】
「ユーザＩＤ」は、ユーザを識別するための識別情報を示す。例えば、「ユーザＩＤ」には、ユーザを一意に識別可能な固有の識別子である英数字などが記憶される。「関心分野」は、ユーザが関心を有する分野を示す。具体的には、「関心分野」には、一般的なキーワードを除いた固有名詞が記憶される。例えば、「関心分野」には、ユーザが端末装置１０にインストールしたアプリケーションや、ユーザの検索履歴、Ｗｅｂページの閲覧履歴、商品購入履歴、掲示板やＳＮＳ（Social  Networking  Service）への投稿履歴、アプリケーションの使用履歴などといった各種の行動履歴などに基づいてユーザが関心を有すると推定される分野が記憶される。一例としては、「関心分野」には、毎日検索に使用されているキーワードや直近に高頻度で検索されているキーワード、一定期間高い検索数を維持しているキーワードなどがＫＷ選定方法などによって抽出されて記憶される。
【００３２】
すなわち、図３では、ユーザＩＤ「Ｕ１」によって識別されるユーザＵ１は、「アイドル」および「運行情報」といった分野に関心を有する例を示している。また、ユーザＩＤ「Ｕ２」によって識別されるユーザＵ２は、「スポーツ」、「お金」、「政治」および「アニメ」といった分野に関心を有する例を示している。
【００３３】
（秘密度情報記憶部１２２について）
秘密度情報記憶部１２２は、秘密度に関する情報を記憶する。具体的には、秘密度情報記憶部１２２は、ユーザ毎に、各分野におけるユーザが秘密にしたい度合いに関する情報を記憶する。ここで、図４に、実施形態に係る秘密度情報記憶部１２２の一例を示す。図４に示すように、秘密度情報記憶部１２２は、「ユーザＩＤ」および「秘密度」といった項目を有する。
【００３４】
「ユーザＩＤ」は、ユーザを識別するための識別情報を示す。例えば、「ユーザＩＤ」には、ユーザを一意に識別可能な固有の識別子である英数字などが記憶される。「秘密度」は、ユーザが秘密にしたい度合いを示す。具体的には、「秘密度」には、各分野に対してユーザが秘密にしたい度合いを示す「０」から「１００」までの数値が記憶される。例えば、「秘密度」には、ユーザがかかる分野に属するコンテンツを閲覧している時間や場所に基づいて算出される数値が記憶される。一例としては、「秘密度」には、ユーザが日中ではなく深夜の時間帯にコンテンツを閲覧していることが多いほど高い値が算出されて記憶される。他の例では、「秘密度」には、ユーザが職場ではなく自宅でコンテンツを閲覧していることが多いほど高い値が算出されて記憶される。なお、ユーザが関心を有さない分野における「秘密度」には、ブランクを示す「−」が記憶される。
【００３５】
すなわち、図４では、ユーザＩＤ「Ｕ１」によって識別されるユーザＵ１の分野「アイドル」に対する秘密度は、「９０」である例を示している。また、ユーザＩＤ「Ｕ１」によって識別されるユーザＵ１の分野「運行情報」に対する秘密度は、「１０」である例を示している。また、ユーザＩＤ「Ｕ１」によって識別されるユーザＵ１は、分野「スポーツ」に対して関心を有していない例を示している。
【００３６】
（制御部１３０について）
制御部１３０は、例えば、ＣＰＵ（Central  Processing  Unit）やＭＰＵ（Micro  Processing  Unit）等によって、提示装置１００内部の記憶装置に記憶されている各種プログラム（決定プログラムの一例に相当）がＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現される。
【００３７】
制御部１３０は、図２に示すように、取得部１３１と、決定部１３２と、出力部１３３とを有し、以下に説明する情報処理の機能や作用を実現または実行する。なお、制御部１３０の内部構成は、図２に示した構成に限られず、後述する提示処理を行う構成であれば他の構成であってもよい。また、制御部１３０が有する各処理部の接続関係は、図２に示した接続関係に限られず、他の接続関係であってもよい。
【００３８】
（取得部１３１について）
取得部１３１は、ユーザが関心を有する分野に関する情報を取得する。具体的には、取得部１３１は、ユーザが関心を有する分野に関する情報として、分野におけるユーザにとっての秘密度合を取得する。例えば、取得部１３１は、分野に対するユーザの秘密度を秘密度情報記憶部１２２から取得する。一例としては、取得部１３１は、ユーザがかかる分野に属するコンテンツを閲覧している時間や場所に基づいて算出される秘密度を取得する。
【００３９】
また、取得部１３１は、ユーザが関心を有する分野に属するコンテンツの更新情報を取得する。具体的には、取得部１３１は、ＲＳＳ（RDF  Site  Summary）情報を参照し、ユーザが関心を有する分野に属するコンテンツに更新があった場合に、かかるコンテンツを提供する情報提供装置５０から更新情報を取得する。例えば、取得部１３１は、ユーザ情報記憶部１２１に記憶されたユーザが関心を有する分野に対応するコンテンツの更新情報を情報提供装置５０から取得する。一例としては、取得部１３１は、ユーザが関心を有するコンテンツの更新情報として、ユーザ情報記憶部１２１に記憶されたキーワードをＲＳＳ情報に含むコンテンツの更新情報を取得する。
【００４０】
（決定部１３２について）
決定部１３２は、取得部１３１によって取得された分野におけるユーザにとっての秘密度合に基づいて、かかる分野に対応するコンテンツの更新情報の提示方式を決定する。言い換えると、決定部１３２は、取得部１３１によって取得された分野の秘密度合に応じてコンテンツの更新情報の提示の仕方を変える。
【００４１】
例えば、決定部１３２は、取得部１３１によって取得された分野におけるユーザにとっての秘密度が所定の閾値以上の場合に、少なくともコンテンツの更新情報の一部を伏せる提示方式に決定する。言い換えると、決定部１３２は、更新情報がユーザにとって秘密にしたい分野である場合に、更新情報の内容を表示しない提示方式に決定する。一例としては、決定部１３２は、取得部１３１によって取得された分野におけるユーザにとっての秘密度が所定の閾値以上の場合に、更新情報がある旨を通知する提示方式に決定する。一態様としては、決定部１３２は、取得部１３１によって取得された分野におけるユーザにとっての秘密度が所定の閾値以上の場合に、更新情報の件数を提示するプッシュ通知に提示方式を決定する。
【００４２】
一方、決定部１３２は、取得部１３１によって取得された分野におけるユーザにとっての秘密度が所定の閾値未満の場合に、少なくともコンテンツの更新情報の一部を表示する提示方式に決定する。言い換えると、決定部１３２は、更新情報がユーザにとって秘密にしなくてもよい分野である場合に、更新情報の内容を表示する提示方式に決定する。一例としては、決定部１３２は、取得部１３１によって取得された分野におけるユーザにとっての秘密度が所定の閾値未満の場合に、更新情報の要約を提示する提示方式に決定する。一態様としては、決定部１３２は、取得部１３１によって取得された分野におけるユーザにとっての秘密度が所定の閾値未満の場合に、更新情報の見出しを提示するプッシュ通知に提示方式を決定する。
【００４３】
（出力部１３３について）
出力部１３３は、決定部１３２によって決定された提示方式に基づいて指示情報を出力する。具体的には、出力部１３３は、取得部１３１によってユーザが関心を有する分野に属するコンテンツの更新情報が取得された場合に、秘密度に基づいて決定された提示方式に基づく指示情報を出力する。例えば、出力部１３３は、決定部１３２によって少なくともコンテンツの更新情報の一部を伏せる提示方式に決定された場合には、少なくともコンテンツの更新情報の一部を伏せたプッシュ通知を表示させる指示情報を端末装置１０に送信する。一例としては、出力部１３３は、更新情報の件数のみを提示するプッシュ通知を表示させる指示情報を端末装置１０に送信する。他の例では、出力部１３３は、決定部１３２によって少なくともコンテンツの更新情報の一部を表示する提示方式に決定された場合には、少なくともコンテンツの更新情報の一部を表示するプッシュ通知を表示させる指示情報を端末装置１０に送信する。一例としては、出力部１３３は、更新情報の見出しと、かかる更新情報に関するアイコンとを提示するプッシュ通知を表示させる指示情報を端末装置１０に送信する。
【００４４】
〔１−３．実施形態に係る提示処理手順〕
次に、図５を用いて、実施形態に係る提示システム１による処理の手順について説明する。図５は、実施形態に係る提示システム１による提示処理手順を示すフローチャートである。
【００４５】
図５に示すように、提示装置１００は、ユーザが関心を有するコンテンツの更新情報を取得する（ステップＳ１０１）。例えば、提示装置１００は、ユーザが関心を有する分野に属するコンテンツに更新があった場合に、かかるコンテンツを提供する情報提供装置５０から更新情報を取得する。ここで、提示装置１００は、ユーザが関心を有するコンテンツの更新情報を取得していない場合には（ステップＳ１０１；Ｎｏ）、ユーザが関心を有するコンテンツの更新情報を取得するまで待機する。
【００４６】
一方、提示装置１００は、ユーザが関心を有するコンテンツの更新情報を取得した場合には（ステップＳ１０１；Ｙｅｓ）、コンテンツが属する分野に関する情報として秘密度を取得する（ステップＳ１０２）。例えば、提示装置１００は、ユーザが関心を有する分野におけるユーザにとっての秘密度を秘密度情報記憶部１２２から取得する。
【００４７】
ここで、提示装置１００は、取得した秘密度が所定の閾値以上である場合には（ステップＳ１０３；Ｙｅｓ）、コンテンツの更新情報の一部を伏せる提示方式に決定する（ステップＳ１０４）。例えば、提示装置１００は、取得された分野におけるユーザにとっての秘密度が所定の閾値以上の場合に、ユーザが関心を有するコンテンツの更新情報がある旨を通知する提示方式に決定する。
【００４８】
一方、提示装置１００は、取得された秘密度が所定の閾値未満である場合には（ステップＳ１０３；Ｎｏ）、コンテンツの更新情報の内容の一部を表示する提示方式に決定する（ステップＳ１０５）。例えば、提示装置１００は、取得された分野におけるユーザにとっての秘密度が所定の閾値未満の場合に、更新情報の要約を提示する提示方式に決定する。
【００４９】
その後、提示装置１００は、決定した提示方式に基づいて指示情報を送信する（ステップＳ１０６）。例えば、提示装置１００は、少なくともコンテンツの更新情報の一部を伏せる提示方式に決定された場合には、少なくともコンテンツの更新情報の一部を伏せたプッシュ通知を表示させる指示情報を端末装置１０に送信する。他の例では、提示装置１００は、少なくともコンテンツの更新情報の一部を表示する提示方式に決定された場合には、少なくともコンテンツの更新情報の一部を提示するプッシュ通知を表示させる指示情報を端末装置１０に送信する。
【００５０】
〔１−４．実施形態の効果〕
上述してきたように、実施形態に係る提示装置１００は、取得部１３１と、決定部１３２とを有する。取得部１３１は、ユーザが関心を有する分野に関する情報を取得する。決定部１３２は、取得された分野におけるユーザにとっての秘密度合に基づいて、当該分野に対応するコンテンツの更新情報の提示方式を決定する。
【００５１】
これにより、提示装置１００は、ユーザが関心を有する分野に基づいてコンテンツの更新情報の提示方式を決定して端末装置１０に表示させることができるので、ユーザに対して更新情報を適切に提示することができる。例えば、提示装置１００は、ユーザにとって秘密にしたい分野に属するコンテンツの更新情報の内容が表示されてしまうことを防ぐことができるので、ユーザのプライベートを守ることができる。一方、提示装置１００は、ユーザにとって秘密にしなくてもよい分野に属するコンテンツの更新情報の内容を表示することができるので、ユーザに更新情報の内容をリアルタイムに伝えることができる。
【００５２】
また、実施形態に係る提示装置１００において、決定部１３２は、取得部１３１によって取得された分野におけるユーザにとっての秘密度合に基づいて、コンテンツの更新情報の提示方式を決定する。これにより、提示装置１００は、各分野の秘密度合に応じて更新情報を出し分けることができるので、ユーザに対して更新情報を適切に提示することができる。
【００５３】
また、実施形態に係る提示装置１００において、決定部１３２は、取得部１３１によって取得された分野におけるユーザにとっての秘密度合が所定の閾値以上の場合に、少なくともコンテンツの更新情報の一部を伏せる提示方式に決定する。これにより、提示装置１００は、ユーザにとって秘密にしたいコンテンツの場合には更新情報の内容を伏せることができるので、ユーザのプライベートを守ることができる。
【００５４】
また、実施形態に係る提示装置１００において、決定部１３２は、取得部１３１によって取得された分野におけるユーザにとっての秘密度合が所定の閾値以上の場合に、更新情報がある旨を通知する提示方式に決定する。これにより、提示装置１００は、コンテンツに更新があった場合には内容を表示せずに更新がある旨をユーザに知らせることができるので、ユーザが秘密にしたい内容が表示されることで他者に知られない安心感を与えることができる。
【００５５】
また、実施形態に係る提示装置１００において、決定部１３２は、取得部１３１によって取得された分野におけるユーザにとっての秘密度合が所定の閾値未満の場合に、少なくともコンテンツの更新情報の一部を表示する提示方式に決定する。これにより、提示装置１００は、ユーザにとって秘密にしなくてもよいコンテンツの場合には更新情報の内容の一部を表示することができるので、ユーザに更新情報の内容をリアルタイムに伝えることができる。
【００５６】
〔２．変形例〕
上述した実施形態に係る提示装置１００は、上記実施形態以外にも種々の異なる形態にて実施されてよい。そこで、以下では、上記の提示装置１００の他の実施形態について説明する。
【００５７】
〔２−１．行動履歴に基づく提示方式〕
上記の実施形態では、提示装置１００が、取得部１３１によって取得された分野におけるユーザにとっての秘密度合に基づいてかかる分野に対応するコンテンツの更新情報の提示方式を決定する例を挙げて説明した。ここで、提示装置１００は、各種の情報に基づいて提示方式を決定してもよい。
【００５８】
具体的には、提示装置１００の決定部１３２は、ユーザの行動履歴に基づく秘密度合に基づいて、コンテンツの更新情報の提示方式を決定する。例えば、提示装置１００は、ユーザの行動履歴として、ユーザの検索履歴、閲覧履歴、購買履歴、アプリケーションの利用履歴またはＳＮＳへの投稿履歴に基づいて、コンテンツの更新情報の提示方式を決定する。言い換えると、秘密度合は、ユーザの検索履歴、閲覧履歴、購買履歴、アプリケーションの利用履歴、ＳＮＳへの投稿履歴などに基づいて算出される。
【００５９】
一態様としては、提示装置１００は、コンテンツの更新情報が、ユーザが現在時刻から所定の時間内に検索したキーワードや閲覧したＷｅｂページに頻出するキーワード、購入した商品に関するキーワードに関連する情報である場合に、かかるコンテンツの更新情報の一部を表示する提示方式に決定する。コンテンツの更新情報がユーザと直近に関わった情報である場合には、更新情報を表示した方がユーザにとって便利である場合が多いと考えられるからである。一方、提示装置１００は、コンテンツの更新情報がユーザと直近に関わっていない情報である場合に、かかるコンテンツの更新情報を伏せる提示方式に決定する。
【００６０】
他の態様としては、提示装置１００は、コンテンツの更新情報を提供するアプリケーションをユーザが現在時刻から所定の時間内に使用していた場合に、かかるコンテンツの更新情報の一部を表示する提示方式に決定する。直近にユーザが使用していたアプリケーションの更新情報については表示した方がユーザにとって便利であると考えられるからである。一方、提示装置１００は、コンテンツの更新情報を提供するアプリケーションをユーザが直近に使用していない場合には、かかるコンテンツの更新情報を伏せる提示方式に決定する。
【００６１】
他の態様としては、提示装置１００は、ユーザが実名を用いることが一般的なＳＮＳに投稿した内容に関連する更新情報である場合に、コンテンツの更新情報の一部を表示する提示方式に決定する。このような更新情報は、ユーザにとって他者に知られてもよい情報であると考えられるからである。一方、提示装置１００は、ユーザがニックネームなどの仮名を用いることが一般的なＳＮＳや匿名性の掲示板に投稿した内容に関連する更新情報である場合には、コンテンツの更新情報の一部を伏せる提示方式に決定する。このような更新情報は、ユーザにとって他者に知られたくない情報であると考えられるからである。また、提示装置１００は、メッセージアプリなどで他のユーザと共有した内容に関連する更新情報である場合に、コンテンツの更新情報の一部を表示する提示方式に決定してもよい。
【００６２】
他の態様としては、提示装置１００は、ユーザが普段とは異なる行動をしていた場合に、コンテンツの更新情報を伏せる提示方式に決定する。普段と異なるユーザの行動は、他者に知られたくない情報である可能性が高いと考えられるからである。なお、提示装置１００は、ユーザが普段とは異なる行動をしていた場合に、コンテンツの更新情報の一部を表示する提示方式に決定してもよい。ユーザが普段とは異なる行動をした場合には、ユーザが新しく興味を抱いた情報であり表示した方が便利な場合も考えられるからである。
【００６３】
他の例では、提示装置１００は、ユーザの行動履歴として、ユーザが行動する時間、ユーザが滞在する場所またはユーザが他のユーザとやり取りした情報に基づいて、コンテンツの更新情報の提示方式を決定する。言い換えると、秘密度合は、ユーザが行動する時間、ユーザが滞在する場所、ユーザが他のユーザとやり取りした情報などに基づいて算出される。
【００６４】
一態様としては、提示装置１００は、ユーザが端末装置１０を操作することが相対的に少ない時間帯である場合には、コンテンツの更新情報の一部を伏せる提示方式に決定する。操作することが相対的に少ない時間帯は、仕事などで他者と関わっている場合が多いと考えられ、更新情報を表示すると他者に知られる可能性が高いからである。一方、提示装置１００は、ユーザが端末装置１０を操作することが相対的に多い時間帯である場合には、コンテンツの更新情報の一部を表示する提示方式に決定する。操作することが相対的に多い時間帯は、一人で過ごしている場合が多いと考えられ、更新情報を表示しても他者に知られる可能性が低いからである。
【００６５】
他の態様としては、提示装置１００は、ユーザが滞在する場所が自宅やトイレなどの密室などといった他者に閲覧される可能性が相対的に低い場所である場合には、コンテンツの更新情報の一部を表示する提示方式に決定する。一方、提示装置１００は、ユーザが滞在する場所が職場や公共の交通機関などといった他者に閲覧される可能性が相対的に高い場所である場合には、コンテンツの更新情報の一部を伏せる提示方式に決定する。
【００６６】
他の態様としては、提示装置１００は、ユーザが他のユーザに対して送信したメッセージの内容に関連する更新情報である場合には、コンテンツの更新情報の一部を表示する提示方式に決定する。他のユーザに対して送信したメッセージの内容に関連する更新情報は、ユーザにとって秘密にしなくてもよい情報であると考えられるからである。
【００６７】
このように、変形例に係る提示装置１００は、ユーザの行動履歴に基づく秘密度合に基づいて、コンテンツの更新情報の提示方式を決定する。これにより、提示装置１００は、ユーザの過去の行動に応じて提示方式を決定することができるので、ユーザに対して更新情報を適切に提示することができる。
【００６８】
また、変形例に係る提示装置１００は、ユーザの行動履歴として、ユーザの検索履歴、閲覧履歴、購買履歴、アプリケーションの利用履歴またはＳＮＳへの投稿履歴に基づいて、コンテンツの更新情報の提示方式を決定する。これにより、提示装置１００は、ユーザの過去の行動に応じて提示方式を高い精度で決定することができるので、ユーザに対して更新情報をより適切に提示することができる。
【００６９】
また、変形例に係る提示装置１００は、ユーザの行動履歴として、ユーザが行動する時間、ユーザが滞在する場所またはユーザが他のユーザとやり取りした情報に基づいて、コンテンツの更新情報の提示方式を決定する。これにより、提示装置１００は、時間帯や場所、メッセージの内容を考慮して提示方式を決定することができるので、ユーザに対して更新情報をより適切に提示することができる。
【００７０】
〔２−２．他のユーザの属性に基づいて決定〕
上記の実施形態では、提示装置１００が、取得部１３１によって取得された分野に関する情報に基づいてかかる分野に対応するコンテンツの更新情報の提示方式を決定する例を挙げて説明した。ここで、提示装置１００は、他のユーザに関する情報に基づいて提示方式を決定してもよい。
【００７１】
具体的には、提示装置１００の決定部１３２は、ＳＮＳ上でユーザと繋がりのある他のユーザの属性に基づいて、コンテンツの更新情報の提示方式を決定する。例えば、提示装置１００は、端末装置１０を有するユーザと同じ属性を有する他のユーザが相対的に多い場合には、コンテンツの更新情報の一部を表示する提示方式に決定する。一方、提示装置１００は、端末装置１０を有するユーザと同じ属性を有する他のユーザが相対的に少ない場合には、コンテンツの更新情報の一部を伏せる提示方式に決定する。
【００７２】
このように、変形例に係る提示装置１００は、ＳＮＳ上でユーザと繋がりのある他のユーザの属性に基づいて、コンテンツの更新情報の提示方式を決定する。これにより、提示装置１００は、ＳＮＳ上でユーザと繋がりのある他のユーザの属性に合わせて提示方式を決定することができるので、ユーザに対して更新情報をより適切に提示することができる。
【００７３】
〔２−３．通知設定に基づいて提示方式を決定〕
上記の実施形態では、提示装置１００が、取得部１３１によって取得された分野に関する情報に基づいてかかる分野に対応するコンテンツの更新情報の提示方式を決定する例を挙げて説明した。ここで、提示装置１００は、通知設定に基づいて提示方式を決定してもよい。
【００７４】
具体的には、提示装置１００の決定部１３２は、ユーザの更新情報の通知に関する設定状況に基づいて、コンテンツの更新情報の提示方式を決定する。例えば、提示装置１００は、ユーザによって設定された更新情報の表示内容量および表示位置に従って、更新情報の内容の一部を指定された位置に提示する提示方式に決定する。
【００７５】
ここで、提示装置１００は、ユーザ自身の設定状況に限らず、他のユーザの設定状況に基づいて、コンテンツの更新情報の提示方式を決定してもよい。例えば、提示装置１００は、他のユーザの更新情報の通知に関する設定状況を参照し、最も多く設定されている方式にコンテンツの更新情報の提示方式を決定する。
【００７６】
このように、変形例に係る提示装置１００は、ユーザの更新情報の通知に関する設定状況に基づいて、コンテンツの更新情報の提示方式を決定する。これにより、提示装置１００は、ユーザの設定に従ってコンテンツの更新情報の提示方式を決定することができるので、ユーザが所望する方式で更新情報を提示することができる。
【００７７】
〔２−４．出力先に応じた更新情報の出し分け〕
上記の実施形態では、提示装置１００が、取得部１３１によって取得された分野に関する情報に基づいてかかる分野に対応するコンテンツの更新情報の提示方式を決定する例を挙げて説明した。ここで、提示装置１００は、出力先の端末装置に応じてコンテンツの更新情報を出し分けてもよい。
【００７８】
具体的には、提示装置１００の決定部１３２は、コンテンツの更新情報を出力する出力先の端末装置に基づいて、かかるコンテンツの更新情報の提示方式を決定する。例えば、提示装置１００は、出力先の端末装置が時計型の端末装置である場合には、秘密度に関わらず、コンテンツの更新情報の一部を表示する提示方式に決定する。時計型の端末装置は、スマートフォンと比較して画面が小さく他者に見られにくいからである。
【００７９】
このように、変形例に係る提示装置１００は、コンテンツの更新情報を出力する出力先の端末装置に基づいて、かかるコンテンツの更新情報の提示方式を決定する。これにより、提示装置１００は、出力先の端末装置に応じて更新情報を出し分けることができるので、ユーザにとって都合のよい端末に更新情報を提示することができる。
【００８０】
〔２−５．時間に基づいて提示方式を決定〕
上記の実施形態では、提示装置１００が、取得部１３１によって取得された分野に関する情報に基づいてかかる分野に対応するコンテンツの更新情報の提示方式を決定する例を挙げて説明した。ここで、提示装置１００は、時間に基づいて更新情報の提示方式を決定してもよい。
【００８１】
具体的には、提示装置１００の決定部１３２は、現在時刻に基づいて、コンテンツの更新情報の提示方式を決定する。例えば、提示装置１００は、現在時刻が、ユーザが自宅に滞在していると推定される時間帯である場合には、コンテンツの更新情報の一部を表示する提示方式に決定する。一方、提示装置１００は、現在時刻が、ユーザが職場や公共の交通機関に滞在していると推定される時間帯である場合には、コンテンツの更新情報の一部を伏せる提示方式に決定する。他の例では、提示装置１００は、現在時刻が深夜の時間帯である場合には、音声を発せずにバックグラウンド下で更新情報を提示する提示方式に決定する。
【００８２】
他の例では、提示装置１００は、ユーザの生活リズムに合わせてコンテンツの更新情報の提示方式を決定してもよい。例えば、提示装置１００は、夜間に働くユーザに対しては、現在時刻が夜間の時間帯である場合に、コンテンツの更新情報の一部を伏せる提示方式に決定する。また、提示装置１００は、日中に自宅で過ごすユーザに対しては、現在時刻が日中の時間帯である場合に、コンテンツの更新情報の一部を表示する提示方式に決定する。
【００８３】
他の例では、提示装置１００は、コンテンツの更新情報を取得するアプリケーションをユーザが使用している最中の場合に、コンテンツの更新情報の一部を表示する提示方式に決定する。アプリケーションをユーザが使用している最中は、端末装置１０がユーザの管理下にあるため更新情報を秘密にしなくてもよいと考えられるからである。
【００８４】
このように、変形例に係る提示装置１００は、現在時刻に基づいて、コンテンツの更新情報の提示方式を決定する。これにより、提示装置１００は、時間帯に応じてコンテンツの更新情報の提示方式を決定することができるので、ユーザに対して更新情報をより適切に提示することができる。
【００８５】
〔２−６．場所に基づいて提示方式を決定〕
上記の実施形態では、提示装置１００が、取得部１３１によって取得された分野に関する情報に基づいてかかる分野に対応するコンテンツの更新情報の提示方式を決定する例を挙げて説明した。ここで、提示装置１００は、端末装置１０が位置する場所に基づいて提示方式を決定してもよい。
【００８６】
具体的には、提示装置１００の決定部１３２は、出力先の端末装置１０が位置する場所を示す位置情報に基づいて、コンテンツの更新情報をかかる端末装置１０に表示する提示方式を決定する。この場合、例えば、端末装置１０は、ＧＰＳなどによって計測される位置情報を提示装置１００に送信する。これにより、提示装置１００は、端末装置１０から位置情報を受信する。そして、提示装置１００は、受信した位置情報に基づいて提示方式を決定する。例えば、提示装置１００は、位置情報がユーザの自宅を示す場合に、コンテンツの更新情報の一部を表示する提示方式に決定する。
【００８７】
他の例では、提示装置１００は、端末装置１０が位置する場所が密室である場合に、コンテンツの更新情報の一部を表示する提示方式に決定する。一例としては、提示装置１００は、端末装置１０が車の中やトイレなどといった場所に位置する場合に、コンテンツの更新情報の一部を表示する提示方式に決定する。
【００８８】
このように、変形例に係る提示装置１００は、出力先の端末装置１０が位置する場所を示す位置情報に基づいて、コンテンツの更新情報をかかる端末装置１０に表示する提示方式を決定する。これにより、提示装置１００は、ユーザの滞在場所に応じて提示方式を決定することができるので、ユーザにとって都合のよい場所に滞在しているときに更新情報の内容を提示することができる。
【００８９】
〔２−７．検知情報に基づいて提示方式を決定〕
上記の実施形態では、提示装置１００が、取得部１３１によって取得された分野に関する情報に基づいてかかる分野に対応するコンテンツの更新情報の提示方式を決定する例を挙げて説明した。ここで、提示装置１００は、検知情報に基づいて提示方式を決定してもよい。
【００９０】
具体的には、提示装置１００の決定部１３２は、出力先の端末装置１０によって検知される検知情報に基づいて、コンテンツの更新情報の提示方式を決定する。例えば、提示装置１００は、端末装置１０によって検知される検知情報のうち姿勢情報に基づいてコンテンツの更新情報の提示方式を決定する。この場合、端末装置１０は、ジャイロセンサなどによって計測される姿勢情報を提示装置１００に送信する。これにより、提示装置１００は、端末装置１０から姿勢情報を受信する。そして、提示装置１００は、受信した姿勢情報に基づいて提示方式を決定する。例えば、提示装置１００は、端末装置１０の画面が床方向を向いている姿勢である場合に、コンテンツの更新情報の一部を表示する提示方式に決定する。言い換えると、提示装置１００は、ユーザが寝そべっている姿勢である場合に、コンテンツの更新情報の一部を表示する提示方式に決定する。このような姿勢の場合には、ユーザがくつろげる自宅などに滞在している可能性が高いので、更新情報を表示しても他者に見られる可能性が低いと考えられるからである。他の例では、提示装置１００は、ユーザが横たわっている姿勢である場合に、コンテンツの更新情報の一部を表示する提示方式に決定する。
【００９１】
他の例では、提示装置１００は、端末装置１０によって検知される検知情報のうち光センサによって検知される照度に基づいてコンテンツの更新情報の提示方式を決定する。この場合、例えば、提示装置１００は、光センサによって検知される照度が所定の閾値未満の場合に、コンテンツの更新情報の一部を表示する提示方式に決定する。照度が所定の閾値未満の場合には、電気が消灯されており他者に更新情報を見られる可能性が低いと考えられるからである。一方、提示装置１００は、照度が所定の閾値以上の場合に、コンテンツの更新情報を表示する提示方式に決定する。
【００９２】
他の例では、提示装置１００は、端末装置１０によって検知される検知情報のうち速度センサによって検知される移動速度に基づいてコンテンツの更新情報の提示方式を決定する。この場合、例えば、提示装置１００は、速度センサによって検知される移動速度が所定の閾値以上の場合に、コンテンツの更新情報の一部を表示する提示方式に決定する。一方、提示装置１００は、移動速度が所定の閾値未満の場合に、コンテンツの更新情報を伏せる提示方式に決定する。
【００９３】
このように、変形例に係る提示装置１００は、出力先の端末装置１０によって検知される検知情報に基づいて、コンテンツの更新情報の提示方式を決定する。これにより、提示装置１００は、検知情報に応じて提示方式を決定することができるので、端末装置１０の状況に応じてコンテンツの更新情報を適切に提示することができる。
【００９４】
〔２−８．秘密度〕
上記の実施形態では、提示装置１００が、取得部１３１によって取得された分野におけるユーザにとっての秘密度に基づいてかかる分野に対応するコンテンツの更新情報の提示方式を決定する例を挙げて説明した。ここで、秘密度は、各分野に出現するキーワードに基づいて算出されてもよい。
【００９５】
具体的には、秘密度は、一般的なニュースサイトなどに配信されるニュースと共起しないキーワードを多く含む分野ほど高い値が算出される。具体的には、一般的なニュースにはほとんど出現しないキーワードを多く含む分野ほど高い値が算出される。言い換えると、秘密度は、一般的な話題では出現しないマニアックなキーワードを多く用いる分野ほど高い値が算出される。一例としては、秘密度は、人の癖や生死、犯罪などに関するキーワードを多く用いる分野ほど高い値が算出される。
【００９６】
なお、秘密度は、各分野に属するコンテンツに対するユーザのアクセス頻度に基づいて算出されてもよい。例えば、秘密度は、各分野に属するコンテンツにユーザが高い頻度でアクセスしているほど低い値が算出されてもよい。
【００９７】
このように、変形例に係る提示装置１００は、各分野におけるキーワードに基づいて算出される秘密度に基づいて、コンテンツの更新情報の提示方式を決定する。これにより、提示装置１００は、一般的に出現頻度が低いキーワードを多く含む分野の秘密度を高く算出することができるので、高い精度の秘密度に基づいてコンテンツの更新情報の提示方式を決定することができる。
【００９８】
〔２−９．秘密度の補正〕
上記の実施形態では、提示装置１００が、取得部１３１によって取得された分野におけるユーザにとっての秘密度に基づいてかかる分野に対応するコンテンツの更新情報の提示方式を決定する例を挙げて説明した。ここで、秘密度は、各種の要素に基づいて補正されてもよい。例えば、秘密度は、ユーザが有するユーザ属性に基づいてユーザ毎に個別に補正されてもよい。例えば、秘密度は、秘密度を形成する各要素に対してユーザに応じた重み付けを行なった上で算出されてもよい。また、秘密度は、各分野の秘密度における他のユーザの全体的な傾向を学習した学習結果に基づいて補正されてもよい。これにより、提示装置１００は、より高い精度の秘密度に基づいて更新情報の提示方式を決定することができるので、コンテンツの更新情報をより適切に提示ことができる。
【００９９】
〔２−１０．提示方式〕
上記の実施形態では、提示装置１００が、取得部１３１によって取得された分野におけるユーザにとっての秘密度合が所定の閾値以上の場合に、少なくともコンテンツの更新情報の一部を伏せる提示方式に決定する例を挙げて説明した。ここで、提示装置１００は、プッシュ通知に限らず、コンテンツの更新情報の提示方式を各種の態様に決定してもよい。
【０１００】
具体的には、提示装置１００の決定部１３２は、取得部１３１によって取得された分野におけるユーザにとっての秘密度が所定の閾値以上の場合に、コンテンツの更新情報を表示せずに音を鳴らしたりバイブレーション機能によって振動させたりする提示方式に決定する。これにより、提示装置１００は、更新情報の内容を表示せずに存在をユーザに知らせることができるので、ユーザのプライベートを守ることができる。なお、提示装置１００は、秘密度が所定の閾値以上の場合には、コンテンツの更新情報を表示せず、かつ、音や振動なども発せずにサイレントな状態を維持してもよい。言い換えると、提示装置１００は、秘密度が所定の閾値以上の場合には、更新情報について何ら通知しなくてもよい。
【０１０１】
〔２−１１．適用対象〕
上記の実施形態では、提示装置１００が、取得部１３１によって取得されたユーザが関心を有する分野に関する情報に基づいて、かかる分野に対応するコンテンツの更新情報の提示方式を決定する例を挙げて説明した。ここで、提示装置１００は、各種のコンテンツに適用してもよい。例えば、提示装置１００は、ユーザが関心を有する分野に限らず、ユーザが関心を有する分野と関連する分野やユーザが関心を有さない分野に属するコンテンツなどに適用してもよい。
【０１０２】
〔３．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。
【０１０３】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１０４】
例えば、図２に示したユーザ情報記憶部１２１や秘密度情報記憶部１２２は、提示装置１００が保持せずに、ストレージサーバ等に保持されてもよい。この場合、提示装置１００は、ストレージサーバにアクセスすることで、ユーザ情報や秘密度に関する情報を取得する。
【０１０５】
また、上記実施形態において提示装置１００は、出力処理は行わず、決定処理のみを行う決定装置であってもよい。この場合、提示装置１００は、出力部１３３を有しない。そして、出力部１３３を有する出力装置が、提示装置１００によって決定された提示方式に基づいて、コンテンツの更新に関する指示情報を端末装置１０に対して出力する。
【０１０６】
また、上記実施形態において提示装置１００は、各種のタイミングでコンテンツの更新情報の提示方式を決定してもよい。例えば、提示装置１００は、コンテンツの更新情報を取得したタイミングに限らず、ユーザが関心を有する分野を特定したタイミングでかかる分野に属するコンテンツの更新情報の提示方式を決定してもよい。
【０１０７】
また、上記実施形態において提示装置１００は、情報提供装置５０の機能を有してもよい。言い換えると、提示装置１００と情報提供装置５０とは、１つの装置であってもよい。この場合、提示装置１００は、コンテンツに関する情報を保持する。そして、提示装置１００は、コンテンツに更新があった場合に、決定部１３２によって決定された提示様式に基づいて、コンテンツの更新に関する指示情報を端末装置１０に対して出力する。
【０１０８】
また、上記実施形態において提示装置１００は、端末装置１０によって実現されてもよい。この場合、端末装置１０は、提示装置１００が有する取得部１３１と決定部１３２と出力部１３３とに相当する機能を備える。この点について、図６を用いて一例を説明する。図６は、変形例に係る端末装置の構成例を示す図である。図６に示すように、端末装置１０は、一例としては、通信部１１と、表示部１２と、制御部１３とを有する。
【０１０９】
通信部１１は、例えば、ＮＩＣ等によって実現される。具体的には、通信部１１は、ネットワークと有線または無線で接続され、ネットワークを介して、情報提供装置５０との間で情報の送受信を行う。例えば、通信部１１は、情報提供装置５０からコンテンツの更新情報の受信を行なう。
【０１１０】
表示部１２は、各種の情報を表示するための表示デバイスである。具体的には、表示部１２は、液晶ディスプレイ等によって実現される。例えば、表示部１２は、情報提供装置５０から受信するコンテンツの更新情報を表示する。
【０１１１】
制御部１３は、例えば、ＣＰＵやＭＰＵ等によって、端末装置１０内部の記憶装置に記憶されている各種プログラム（決定プログラムの一例に相当）がＲＡＭを作業領域として実行されることにより実現される。また、制御部１３は、例えば、ＡＳＩＣやＦＰＧＡ等の集積回路により実現される。
【０１１２】
制御部１３０は、図６に示すように、取得部３１と、決定部３２と、出力部３３とを有し、以下に説明する情報処理の機能や作用を実現または実行する。ここで、取得部３１、決定部３２、出力部３３は、上述した取得部１３１、決定部１３２、出力部１３３に相当する機能部である。
【０１１３】
取得部３１は、ユーザが関心を有する分野に関する情報を取得する。具体的には、取得部３１は、ユーザが関心を有する分野に関する情報として、分野におけるユーザにとっての秘密度合をサーバから取得する。また、取得部３１は、ユーザが関心を有する分野に属するコンテンツの更新情報を情報提供装置５０から取得する。
【０１１４】
決定部３２は、取得部３１によって取得された分野に関する情報に基づいて、かかる分野に対応するコンテンツの更新情報の提示方式を決定する。具体的には、決定部３２は、取得部３１によって取得された分野におけるユーザにとっての秘密度合に基づいて、コンテンツの更新情報の提示方式を決定する。
【０１１５】
出力部３３は、決定部３２によって決定された提示方式に基づいて更新情報を出力する。具体的には、出力部３３は、取得部３１によってユーザが関心を有する分野に属するコンテンツの更新情報が取得された場合に、秘密度に基づいて決定された提示方式に基づく更新情報を表示部１２に出力する。例えば、出力部３３は、決定部３２によって少なくともコンテンツの更新情報の一部を伏せる提示方式に決定された場合には、少なくともコンテンツの更新情報の一部を伏せたプッシュ通知を表示部１２に出力する。他の例では、出力部３３は、決定部３２によって少なくともコンテンツの更新情報の一部を表示する提示方式に決定された場合には、少なくともコンテンツの更新情報の一部を表示するプッシュ通知を表示部１２に出力する。
【０１１６】
これにより、端末装置１０は、ユーザが関心を有する分野の秘密度合に基づく提示方式でコンテンツの更新情報を画面に表示することができるので、ユーザに対して更新情報を適切に提示することができる。また、端末装置１０は、提示装置１００から更新情報の表示に関する指示情報を受信しなくても、秘密度合に基づく提示方式でコンテンツの更新情報を画面に表示することができる。
【０１１７】
また、上述してきた実施形態に係る提示装置１００は、例えば図７に示すような構成のコンピュータ１０００によって実現される。以下、提示装置１００を例に挙げて説明する。図７は、提示装置１００の機能を実現するコンピュータ１０００の一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、およびメディアインターフェイス（Ｉ／Ｆ）１７００を有する。
【０１１８】
ＣＰＵ１１００は、ＲＯＭ１３００またはＨＤＤ１４００に格納されたプログラムに基づいて動作し、各部の制御を行う。ＲＡＭ１２００は、各種の情報を一時的に記憶する。ＲＯＭ１３００は、コンピュータ１０００の起動時にＣＰＵ１１００によって実行されるブートプログラムや、コンピュータ１０００のハードウェアに依存するプログラム等を格納する。
【０１１９】
ＨＤＤ１４００は、ＣＰＵ１１００によって実行されるプログラム、および、かかるプログラムによって使用されるデータ等を格納する。通信インターフェイス１５００は、ネットワークＮを介して他の機器からデータを受信してＣＰＵ１１００へ送り、ＣＰＵ１１００が生成したデータを、ネットワークＮを介して他の機器へ送信する。
【０１２０】
ＣＰＵ１１００は、入出力インターフェイス１６００を介して、ディスプレイやプリンタ等の出力装置、および、キーボードやマウス等の入力装置を制御する。ＣＰＵ１１００は、入出力インターフェイス１６００を介して、入力装置からデータを取得する。また、ＣＰＵ１１００は、生成したデータを、入出力インターフェイス１６００を介して出力装置へ出力する。
【０１２１】
メディアインターフェイス１７００は、記録媒体１８００に格納されたプログラムまたはデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disk）、ＰＤ（Phase  change  rewritable  Disk）等の光学記録媒体、ＭＯ（Magneto  Optical  disk）等の光磁気記録媒体、テープ媒体、磁気記録媒体、または半導体メモリ等である。
【０１２２】
例えば、コンピュータ１０００が実施形態に係る提示装置１００として機能する場合、コンピュータ１０００のＣＰＵ１１００は、ＲＡＭ１２００上にロードされたプログラムを実行することにより、制御部１３０の機能を実現する。また、ＨＤＤ１４００には、記憶部１２０内のデータが格納される。コンピュータ１０００のＣＰＵ１１００は、これらのプログラムを記録媒体１８００から読み取って実行するが、他の例として、他の装置からネットワークＮを介してこれらのプログラムを取得してもよい。
【０１２３】
以上、本願の実施形態のいくつかを図面に基づいて詳細に説明したが、これらは例示であり、発明の概要の欄に記載の態様を始めとして、当業者の知識に基づいて種々の変形、改良を施した他の形態で本発明を実施することが可能である。
【０１２４】
また、上述した提示装置１００は、複数のサーバコンピュータで実現してもよく、また、機能によっては外部のプラットフォーム等をＡＰＩ（Application  Programming  Interface）やネットワークコンピューティングなどで呼び出して実現するなど、構成は柔軟に変更できる。
【０１２５】
また、特許請求の範囲に記載した「部（section、module、unit）」は、「手段」や「回路」などに読み替えることができる。例えば、取得部は、取得手段や取得回路に読み替えることができる。
【符号の説明】
【０１２６】
１  提示システム
１０  端末装置
５０  情報提供装置
１００  提示装置
１２１  ユーザ情報記憶部
１２２  秘密度情報記憶部
１３１  取得部
１３２  決定部
１３３  出力部
【図１】
2017097503.tif 000003
【図２】
2017097503.tif 000004
【図３】
2017097503.tif 000005
【図４】
2017097503.tif 000006
【図５】
2017097503.tif 000007
【図６】
2017097503.tif 000008
【図７】
2017097503.tif 000009